(57)【要約】【課題】足場板の連結及びその解除を、極めて容易に且つ安全に行わせることができ、しかも多種類の足場板に適用することが可能な足場板用連結具を提供する。【解決手段】足場板用連結具１は、接続用筒体３とピン部材４とを備えている。接続用筒体３は両端に足場板２用の挿入口３０を有する矩形の筒体からなり、上面側の部分に上側網状部３２が形成され、底面側の部分に下側網状部が形成されている。そして、ピン部材４が、上方から、上側網状部３２、孔部２５、及び下側網状部に差し込まれると、ピン部材４が上側網状部３２によって係止され足場板２が固定されるようになっている。【選択図】図１
2011169012.tif 000002
【特許請求の範囲】
【請求項１】
両端に足場板用の挿入口を有する矩形の筒体からなり、前記足場板の表面に設けられた複数の孔部のうち少なくとも一つの孔部と上下方向に連通可能な開口部が上面側の部材に形成された接続用筒体と、
該接続用筒体の前記開口部に係止されるとともに、前記孔部に差し込まれるピン部材と
を具備する
ことを特徴とする足場板用連結具。
【請求項２】
両端に足場板用の挿入口を有する矩形の筒体からなり、前記足場板の表面に設けられた複数の孔部と対向する上面側の部材に網目状の網状部が形成されている接続用筒体と、
該接続用筒体の前記網状部に係止されるとともに、前記孔部に差し込まれるピン部材と
を具備する
ことを特徴とする足場板用連結具。
【請求項３】
前記網状部は、エキスバンドメタルで構成されている
ことを特徴とする請求項２に記載の足場板用連結具。
【請求項４】
前記網状部は、前記接続用筒体の上面側に形成された上側網状部と、前記接続用筒体の底面側に形成された下側網状部とからなり、
前記ピン部材は、上方から、前記上側網状部、前記孔部、及び前記下側網状部の順に差し込まれるものである
ことを特徴とする請求項２または請求項３に記載の足場板用連結具。
【請求項５】
前記接続用筒体は、
互いに対向して配設されるとともに、板状の側壁部、該側壁部の上端から水平方向内側に折曲がった上側延出部、及び前記側壁部の下端から水平方向内側に折曲がった下側延出部からなる一対の側面形成部材をさらに備え、
前記上側網状部は、前記一対の上側延出部の上方に配設され、前記下側網状部は、前記一対の下側延出部の下方に配設されている
ことを特徴とする請求項２乃至請求項４のいずれかに記載の足場板用連結具。
【請求項６】
前記ピン部材は、
前記網状部及び前記孔部に差込可能な直線棒状の差込部と、
該差込部の上端から略直角に延出された落下防止部と
からなることを特徴とする請求項２乃至請求項５のいずれかに記載の足場板用連結具。
【請求項７】
前記接続用筒体は、
一方の端部の下面に切欠き形成され、前記足場板の横幅よりも大きな幅の下面切欠部と、
他方の端部の上面に切欠き形成され、前記足場板の横幅よりも大きな幅の上面切欠部と
をさらに備えることを特徴とする請求項１乃至請求項６のいずれかに記載の足場板用連結具。
【発明の詳細な説明】
【技術分野】
【０００１】
本発明は、足場板用連結具に関し、特に、建築現場等で使用する足場板を長手方向に連結する足場板用連結具に関するものである。
【背景技術】
【０００２】
建築現場では、建物の外壁や外まわりの工事を行う際に、足場を構築する場合がある。この足場は、鉄製のパイプ材で骨組みが作られ、パイプ材間に足場板が並べられることにより作業床が形成されるようになっている。
【０００３】
ところで、この種の足場においては、安全性を確保するために、隣合う足場板同士を連結する必要があり、従来は、足場板の端部同士を上下に重ね合わせ、針金によって縛りつけるようにしている。
【０００４】
ところが、この方法によれば、重ね合わされた足場板の周囲に針金を巻きつけるという、比較的面倒な作業が必要なため、作業に手間と時間を要していた。また、連結された足場板同士の間に段差が生じてしまい、段差に躓く等、作業者の安全性を低下させることが懸念されていた。
【０００５】
そこで、例えば特許文献１に示すように、両端に挿入口を有する矩形の接続用筒体（スリーブ本体）からなる足場板用連結具が提案されており、これによれば、それぞれの挿入口から足場板の端部を挿入することにより、隣合う足場板同士を長手方向に連結することが可能になる。また、この連結具にはストッパが備えられており、接続用筒体に挿入した足場板が自然に抜けないようになっている。具体的に、板ばねを折り曲げて形成したストッパが接続用筒体の底面側に設けられており、足場板が接続用筒体内に挿入されると、ストッパの折曲部が足場板における底面の溝部に挿入し、足場板を保持するように構成されている。なお、足場を解体する場合、すなわち足場板を接続用筒体から引き抜く場合には、ストッパによる係合状態を解除する必要がある。
【発明の概要】
【発明が解決しようとする課題】
【０００６】
しかし、上記の足場板用連結具によれば、ストッパの係合状態を解除するには、接続用筒体の底面側に手を回し、板バネの弾性力に抗してストッパを変形させるという操作が必要であった。この操作は、作業者から見えない箇所でストッパを下方に変形させ、その状態のまま足場板を水平方向に引き抜かなければならず、作業が困難であるとともに、指を挟むなど安全性に関する問題も有していた。さらに、この連結具によれば、足場板の大きさが接続用筒体の挿入口に合致していても、底面の溝の位置が異なる場合には、足場板を係止することができなかった。つまり、この連結具は、一種類の足場板にしか使用することができなかった。
【０００７】
そこで、本発明は、上記の実状に鑑み、足場板の連結及びその解除を、極めて容易に且つ安全に行わせることができ、しかも多種類の足場板に適用することが可能な足場板用連結具を提供することを課題とするものである。
【課題を解決するための手段】
【０００８】
本発明の足場板用連結具は、
「両端に足場板用の挿入口を有する矩形の筒体からなり、前記足場板の表面に設けられた複数の孔部のうち少なくとも一つの孔部と上下方向に連通可能な開口部が上面側の部材に形成された接続用筒体と、
該接続用筒体の前記開口部に係止されるとともに、前記孔部に差し込まれるピン部材と
を具備する」ことを特徴とするものである。
【０００９】
ここで、「開口部」は、金網やエキスパンドメタル等の網目状の部材から形成してもよく、複数の孔が穿設されたパンチングメタル等の板状の部材から形成してもよい。また、「開口部」は、接続用筒体の上面全体に亘って所定の間隔で形成してもよいが、上面の一部分に対して形成してもよい。
【００１０】
本発明の足場板用連結具によれば、一対の足場板を、接続用筒体における両側の挿入口からそれぞれ挿入し、各足場板の表面に穿設された複数の孔部の内、接続用筒体の上面に形成された開口部と重なり合う孔部に対し、上方からピン部材を差し込むと、ピン部材と開口部の内縁との係合によって、足場板の水平方向への動きが規制される。すなわち、ピン部材を接続用筒体の上方から差し込むだけで、足場板が保持され自然に抜けないようになる。また、ピン部材を上方に引き抜くことにより、足場板の保持状態が解除され、その後、足場板を接続用筒体から引き抜くことが可能になる。
【００１１】
また、本発明の足場板用連結具は、
「両端に足場板用の挿入口を有する矩形の筒体からなり、前記足場板の表面に設けられた複数の孔部と対向する上面側の部材に網目状の網状部が形成されている接続用筒体と、
該接続用筒体の前記網状部に係止されるとともに、前記孔部に差し込まれるピン部材と
を具備する」ことを特徴とするものである。
【００１２】
本発明の足場板用連結具によれば、一対の足場板を、接続用筒体における両側の挿入口からそれぞれ挿入すると、接続用筒体の上面側の網状部と、各足場板の表面に穿設された複数の孔部とが重なり合う。そこで、網状部の開口部分を通して、連通する足場板の孔部に上方からピン部材を差し込むと、ピン部材と網状部との係合によって、足場板の水平方向への動きが規制される。このように、接続用筒体の上面に網目状の網状部を設けることにより、足場板における孔部の配列が変化しても、いずれかの孔部を網状部の開口部分に合致させることが容易となり、その足場板をピン部材で確実に係止することが可能になる。
【００１３】
本発明の足場板用連結具において、
「前記網状部は、エキスバンドメタルで構成されている」ようにしてもよい。
【００１４】
これによれば、網状部の機械的強度が高められる。また、エキスパンドメタルの凹凸によって接続用筒体上での滑りが防止され、作業者の安全性を高めることが可能になる。さらに、エキスバンドメタルは平板状の鋼板に比べ軽量であるため、足場板用連結具の取扱いや運搬のし易さが向上する。
【００１５】
また、本発明の足場板用連結具において、
「前記網状部は、前記接続用筒体の上面側に形成された上側網状部と、前記接続用筒体の底面側に形成された下側網状部とからなり、
前記ピン部材は、上方から、前記上側網状部、前記孔部、及び前記下側網状部の順に差し込まれるものである」ように構成してもよい。
【００１６】
これによれば、足場板の孔部に差し込まれたピン部は、足場板を貫通し、下側網状部を通って接続用筒体の下方へ突出した状態となる。このため、足場板に水平方向の力が作用しても、ピン部材が傾かず、足場板を一層確実に保持することが可能になる。
【００１７】
また、本発明の足場板用連結具において、
「前記接続用筒体は、
互いに対向して配設されるとともに、板状の側壁部、該側壁部の上端から水平方向内側に折曲がった上側延出部、及び前記側壁部の下端から水平方向内側に折曲がった下側延出部からなる一対の側面形成部材をさらに備え、
前記上側網状部は、前記一対の上側延出部の上方に配設され、前記下側網状部は、前記一対の下側延出部の下方に配設されている」ように構成してもよい。
【００１８】
これによれば、足場板を接続用筒体に挿入する際、足場板は、互いに対向する一対の側面形成部材の内面に沿って摺動することになる。このため、上側網状部及び下側網状部の網目に引っかかることなく足場板を滑らかに挿入させることが可能になる。
【００１９】
また、本発明の足場板用連結具において、
「前記ピン部材は、
前記網状部及び前記孔部に差込可能な直線棒状の差込部と、
該差込部の上端から略直角に延出された落下防止部と
からなる」ように構成してもよい。
【００２０】
これによれば、落下防止部によってピン部材の落下を確実に防止することが可能となる。また、接続用筒体の上面から突出するピン部材の突出量が抑えられ、ピン部材に躓くことが抑制される。
【００２１】
さらに、本発明の足場板用連結具において、
「前記接続用筒体は、
一方の端部の下面に切欠き形成され、前記足場板の横幅よりも大きな幅の下面切欠部と、
他方の端部の上面に切欠き形成され、前記足場板の横幅よりも大きな幅の上面切欠部と
をさらに備える」ようにしてもよい。
【００２２】
これによれば、既にパイプ材等に固定された足場板に対して、下面切欠部が形成された接続用筒体の端部を上方から被せることで、足場板の先端部分を挿入口に嵌め込むことが可能になる。また、一方の足場板に固定された接続用筒体に対して、他方の足場板を上面切欠部を通して上方から嵌め込むことが可能になる。つまり、二つの足場板と接続用筒体との嵌め合わせ作業が極めて容易となり、これらを長手方向に沿って順番に組み付けることが可能となる。
【発明の効果】
【００２３】
このように、本発明によれば、接続用筒体に対してピン部材を抜き差しするだけで、足場板を固定したり取外し可能な状態とすることができるため、組立・分解作業が極めて容易となり、作業者の負担を大幅に軽減することができる。特に、足場板の種類が異なっても、足場板用連結具を共通の連結具として用いることができるため、足場板用連結具の利便性を高め、作業者の負担を一層軽減することができる。
【図面の簡単な説明】
【００２４】
【図１】本実施形態の足場板用連結具、及び足場板用連結具によって連結された足場板の構成を示す平面図である。
【図２】足場板用連結具の構成を示す分解斜視図である。
【図３】図１のＡ−Ａ断面を示す断面図である。
【図４】他の例の足場板用連結具、及びそれによって連結された足場板の構成を示す平面図である。
【発明を実施するための形態】
【００２５】
以下、本発明の実施形態である足場板用連結具について、図１乃至図３に基づき説明する。図１及び図３に示すように、足場板用連結具１は、一対の足場板２を互いに突き合わせた状態で長手方向に連結するものであり、筒状の接続用筒体３と、この接続用筒体３に対して一対の足場板２を固定する二つのピン部材４とを具備して構成されている。
【００２６】
なお、足場板２としては、市販されている各種のものを用いることができる。図示した本例の足場板２は、金属製（アルミニウム製または鋼製）であり、矩形の天板部２１と、天板部２１の左右両端から垂下された側壁部２２と、天板部２１の先端側及び後端側から垂下された端面部２３とを備えており、側壁部２２及び端面部２３の下端には、内側に向かって張り出した水平突出縁２４が形成されている。また、天板部２１には、プレス加工によって形成された滑り止め用の孔部２５が多数穿設されている。これらの孔部２５に関する態様（例えば孔部２５の数、直径、及び配置等）は機種によって様々であり、例えば比較的小さな孔部を縦横直線上に配置したものや、図１に示すように比較的大きな孔部２５を千鳥足状に配置したものもある。そして、本例の足場板用連結具１によれば、このような孔部２５の様々な態様に拘らず、同種の足場板２または異種の足場板２を互いに連結させることが可能になっている。なお、本例では説明の便宜上、接続用筒体３に対して、紙面左側から挿入される足場板２を第一足場板２ａとし、紙面右側から挿入される足場板２を第二足場板２ｂとして説明する。
【００２７】
足場板用連結具１における各構成について詳しく説明する。図１及び図２に示すように、接続用筒体３は、両端に足場板２用の挿入口３０，３０を有する矩形の筒体からなり、互いに対向して配設された一対の側面形成部材３１と、接続用筒体３の上面側に配置された上側網状部３２と、接続用筒体３の底面側に配置された下側網状部３４とを備えて構成されている。ここで、接続用筒体３における長手方向の長さは特に限定されるものではないが、挿入口３０の縦方向の長さは足場板２の厚みと略等しく、挿入口３０の横方向の長さは足場板２の横幅と略等しくなっている。つまり、接続用筒体３は、挿入された足場板２が上下方向及び左右方向に変位しないように（嵌合するように）、足場板２の大きさに合わせて上下・左右の寸法が設定されている。
【００２８】
側面形成部材３１は、金属板を折り曲げて形成したものであり、平板状の側壁部３６と、側壁部３６の上端から水平方向内側に折曲がった上側延出部３７と、側壁部３６の下端から水平方向内側に折曲がった下側延出部３８とを備え、断面コ字形の形状を呈している。
【００２９】
上側網状部３２は、エキスバンドメタルで構成され、一対の上側延出部３７の上面に架け渡された状態で溶着されている。エキスバンドメタルは一般に周知の部材であり、鋼製のストランド３２ａによって、菱形に開口した複数の開口部３２ｂが網目状に形成されている。なお、このエキスバンドメタルは、薄板鋼板に機械加工を施して相互に平行なスリットを千鳥状に形成し、スリットに直交する方向に引張力を加えて薄板鋼板を変形させることにより製造されている。また、上側網状部３２における挿入口３０側の端部には、帯状の上側縁部材３３が配設されており、これにより接続用筒体３の強度を高めるとともに、ストランド３２ａの端部を覆っている。
【００３０】
下側網状部３４は、一対の下側延出部３８の下面（下側）に架け渡された状態で溶着されている。なお、下側網状部３４は、上側網状部３２と同様、ストランド３４ａによって形成された複数の開口部３４ｂを有するエキスバンドメタルから構成されており、ストランド３４ａにおける挿入口３０側の端部は、帯状の下側縁部材３５によって覆われている。また、下側網状部３４におけるそれぞれの開口部３４ｂの位置は、上側網状部３２における開口部３２ｂと上下方向に合致するように設定されている。
【００３１】
また、図２及び図３に示すように、接続用筒体３における挿入口３０側の両端部は、垂直方向に対して斜めに切断された形態となっている。詳しく説明すると、一方（紙面右側）の端部では、下側網状部３４が上側網状部３２よりも外方に突出するとともに、側面形成部材３１の縁部が外側に向かって下り勾配の斜辺となっている。換言すれば、上側網状部３２の端部には第二足場板２ｂの横幅と略同じ幅の上面切欠部３９ｂが形成されており、第二足場板２ｂの先端部分を、上方から上面切欠部３９ｂを通して接続用筒体３の内部に嵌め込むことが可能になっている。これに対し、他方（紙面左側）の端部では、上側網状部３２が下側網状部３４よりも外方に突出するとともに、側面形成部材３１の縁部が外側に向かって上り勾配の斜辺となっている。換言すれば、下側網状部３４の端部には第一足場板２ａの横幅と略同じ幅の下面切欠部３９ａが形成されており、第一足場板２ａの先端部分に対して、接続用筒体３の端部を上方から被せることが可能になっている。
【００３２】
一方、ピン部材４は、略Ｌ字形に一体成形された金属製の棒材からなり、足場板２（第一足場板２ａ及び第二足場板２ｂ）の孔部２５に差し込み可能な直線棒状の差込部４１と、差込部４１の上端から略直角に延出された落下防止部４２とを備えている。ここで、差込部４１の長さは、接続用筒体３の厚み（高さ）よりも僅かに長くなっており、差込部４１を上側網状部３２の開口部３２ｂに差込み、落下防止部４２をストランド３２ａの上面に当接させた状態（図３参照）では、差込部４１の先端（下端）が、下側網状部３４の開口部３４ｂを通って接続用筒体３の下方に突出するようになっている。
【００３３】
次に、本実施形態の足場板用連結具１の使用方法、すなわち足場板用連結具１を用いた足場板２の連結方法について説明する。まず、第一足場板２ａの先端部分を接続用筒体３における左側の挿入口３０に嵌め込み、接続用筒体３における長さ方向の中央付近まで挿入する。この際、接続用筒体３の左端部には下面切欠部３９ａが形成されているため、支柱やブラケット等（いずれも図示しない）に固定された第一足場板２ａの先端部分に対して、接続用筒体３の端部を上方から被せることで、第一足場板２ａの先端部分を挿入口３０に嵌め込むことが可能である。また、接続用筒体３における長さ方向の中央には目印（図示しない）が付されており、第一足場板２ａの先端部分が接続用筒体３の中央まで挿入されたことを目視によって確認することができるようになっている。
【００３４】
その後、第一足場板２ａの上面に穿設された複数の孔部２５の内、上側網状部３２の開口部３２ｂと重なり合う孔部２５を把握する。つまり、開口部３２ｂを通して、欠けることなく全体が視認可能となる孔部２５を、複数の孔部２５の中から見つける。そして、重なり合う孔部２５及び開口部３２ｂに対し、上方からピン部材４の差込部４１を差し込む。すると、ピン部材４は、第一足場板２ａを貫通し、下側網状部３４の開口部３４ｂを通って接続用筒体３の下方へ突出した状態となる。なお、ピン部材４は、落下防止部４２が上側網状部３２の開口部３２ｂを通過しないため、落下することなく支持される。このようにしてピン部材４の差込部４１が上側網状部３２及び下側網状部３４に挿通した状態で支持されると、ピン部材４とストランド３２ａ，３４ａとの係合により、接続用筒体３に対する第一足場板２ａの水平方向の動きが規制される。
【００３５】
続いて、第二足場板２ｂの先端部分を接続用筒体３における右側の挿入口３０に嵌め込み、接続用筒体３における長さ方向の中央付近まで、すなわち第一足場板２ａの先端部分に突き当たるまで挿入する。この際、接続用筒体３の右端部には上面切欠部３９ｂが形成されているため、第一足場板２ａに固定された接続用筒体３に対して、第二足場板２ｂの先端部分を上方から嵌め込むことが可能である。
【００３６】
その後は、上記した方法と同じように、第二足場板２ｂに対して、ピン部材４の差込部４１を差し込む。これにより、第二足場板２ｂにおける水平方向の動きも規制され、第一足場板２ａ及び第二足場板２ｂは互いに突き合せられた状態で連結される。
【００３７】
このように、本例の足場板用連結具１によれば、一対の足場板２の先端部分をそれぞれ接続用筒体３に挿入し、上側網状部３２の開口部３２ｂを通して足場板２の孔部２５にピン部材４を差し込むことにより、一対の足場板２を突き合わせた状態で固定するため、足場板２同士を確実に連結することができる。特に、接続用筒体３に対してピン部材４を抜き差しするだけで、足場板２を固定したり取外し可能な状態とすることができるため、組立・分解作業が極めて容易となり、作業者の負担を大幅に軽減することができる。
【００３８】
また、本例の足場板用連結具１によれば、接続用筒体３の上面に、複数の開口部３２ｂを有する上側網状部３２が設けられているため、足場板２における孔部２５の配列が変化しても、いずれかの孔部２５を開口部３２ｂに合致させることができる。このように、足場板２の種類が異なっても、足場板用連結具１を共通の連結具として用いることができるため、足場板用連結具１の利便性を高め、作業者の負担を一層軽減することができる。特に、上側網状部３２はエキスバンドメタルで構成されているため、機械的な強度に優れるとともに、接続用筒体３上での滑りを防止し、作業者の安全性を高めることができる。また、エキスバンドメタルは平板状の鋼板に比べ軽量であるため、足場板用連結具１が軽量化され、取扱いや運搬のし易さを高めることができる。
【００３９】
また、本例の足場板用連結具１によれば、金属板からなる一対の側面形成部材３１が断面コ字形に形成され、それらの外側に上側網状部３２及び下側網状部３４が架け渡された状態で配設されているため、足場板２を接続用筒体３に挿入する際、側面形成部材３１の内面に沿って摺動させることができる。すなわち、上側網状部３２及び下側網状部３４のストランド３２ａ，３４ａに引っかかることなく足場板２を滑らかに挿入させることができる。また、上側網状部３２及び下側網状部３４の両側には、ストランド３２ａ，３４ａの端部を覆う上側縁部材３３及び下側縁部材３５がそれぞれ設けられているため、接続用筒体３の強度をさらに高めるとともに、ストランド３２ａ，３４ａの端部（切り口）が作業者の身体に引っかかることを防止できる。
【００４０】
また、本例の足場板用連結具１によれば、ピン部材４はＬ字形に形成されているため、ピン部材４の落下を確実に防止できる。また、接続用筒体３の上面から突出するピン部材４の突出量を極力抑え、ひいてはピン部材４に躓くことを抑制できる。
【００４１】
さらに、本例の足場板用連結具１によれば、接続用筒体３における挿入口３０側の端部には下面切欠部３９ａ及び上面切欠部３９ｂが形成されているため、第一足場板２ａの先端部分に対して上方から接続用筒体３の一端側を被せ、その後、接続用筒体３の他端側に対し第二足場板２ｂの先端部分を上方から嵌め込むことが可能となる。このため、二つの足場板２と接続用筒体３との嵌め合わせ作業が極めて容易となり、第一足場板２ａ、接続用筒体３、及び第二足場板２ｂの順、すなわち長手方向に沿って順番に組み付けることができ、組付けの作業性を大幅に高めることが可能となる。
【００４２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４３】
すなわち、上記実施形態では、足場板用連結具１によって一対の足場板２を長手方向に連結するものを示したが、並設される複数組の足場板２を一つの接続用筒体によって連結することも可能である。具体的には、図４に示すように、接続用筒体５０は、上記実施形態と同様、一対の側面形成部材５１、上側網状部５２、及び下側網状部（図示しない）を備えて構成された矩形の筒体からなるが、筒体の両端に形成された挿入口５３の横幅は、足場板２の横幅の略２倍となっており、二組の足場板２を左右に並べた状態で挿入させることが可能になっている。これによれば、４枚の足場板２の孔部２５にピン部材４を差し込むことにより、４枚の足場板２を突き合わせた状態で固定することが可能になる。なお、並設される足場板２の収容空間を仕切るように、接続用筒体５０の中央部分に、側面形成部材５１と同様の形状の補強部材を設けるようにしてもよく、これによれば接続用筒体５０の機械的な強度を高めることが可能である。
【００４４】
また、上記実施形態では、上側網状部３２及び下側網状部３４をエキスバンドメタルで構成するものを示したが、金属の線材を編んで構成した網状部材（所謂金網）、または複数の孔部が穿設された金属板（所謂パンチングメタル）によって上側網状部及び下側網状部を構成するようにしてもよい。
【００４５】
また、上記実施形態では、接続用筒体３の底面側に下側網状部３４を備えるものを示したが、接続用筒体の底面側を平面状に形成し、上側網状部３２の開口部３２ｂ及び足場板２の孔部２５に対してのみ、ピン部材４を差し込むようにしてもよい。ただし、上記実施形態のように下側網状部３４を備えるようにすれば、ピン部材４における差込部４１の下端を、接続用筒体３を貫通して下方から突出させることが可能となり、ひいては差込部４１が傾くことを防止し、足場板２の固定を一層確実なものとすることができる。
【００４６】
また、上記実施形態では、上側網状部３２が接続用筒体３の上面全体に設けられ、下側網状部３４が接続用筒体３の底面全体に設けられたものを示したが、上面及び底面の一部分にのみ網状部材を設けるようにしてもよい。ただし、上記実施形態のように全面に亘って設けることにより、開口部３２ｂが孔部２５に合致する可能性を高め、多機種の足場板２に適応させることが可能となる。
【００４７】
また、上記実施形態では、足場板２として金属製のものを示したが、木製の足場板に適用することも可能である。なお、既製の足場板に孔部に相当するものがない場合には、ピン部材４を差し込むための孔部を足場板の上面に穿設すればよい。ただし、上記実施形態のように滑止めのために穿設されている孔部２５を利用してピン部材４を差し込むようにすれば、既製の足場板をそのまま用いることができ、利便性を高めることができる。
【００４８】
また、上記実施形態では、ピン部材４として、Ｌ字形に形成されたものを示したが、円盤状の落下防止部と、その下面から垂下された棒状の差込部とを備え、断面略Ｔ字形に形成することも可能である。これによれば、ピン部材の落下防止部が上方から見て目立つようになり、ピン部材の着脱の有無をより明確に視認することが可能になる。
【００４９】
また、上記実施形態では、第一足場板２ａの先端部分と第二足場板２ｂの先端部分とを直接突き合わせるものを示したが、接続用筒体３内の空間を長手方向に二分するように、接続用筒体３の中央に仕切板を設け、第一足場板２ａ及び第二足場板２ｂの先端部分を仕切板に突き当てるようにしてもよい。これによれば、第一足場板２ａと第二足場板２ｂとの境界部分を接続用筒体３の中央に位置させることが容易となる。
【００５０】
また、上記実施形態では、側面形成部材３１の端縁を斜辺とするものを示したが、側面形成部材３１の端縁を斜めに切欠くことなく、接続用筒体３の両端側に下面切欠部３９ａ及び上面切欠部３９ｂを形成するようにしてもよい。このように形成しても、上記実施形態と同様、接続用筒体３に対して第一足場板２ａ及び第二足場板２ｂを滑らかに嵌め込むことが可能である。なお、言うまでもないが、下面切欠部３９ａ及び上面切欠部３９ｂを形成することなく、第一足場板２ａ及び第二足場板２ｂを挿入口３０に対し水平方向から嵌め込むようにすることも可能である。
【００５１】
さらに、上記実施形態では、第二足場板２ｂを挿入する前に、ピン部材４によって第一足場板２ａを固定するものを示したが、第一足場板２ａ及び第二足場板２ｂの先端部分を接続用筒体３内で突き合わせた後に、二つのピン部材４によって両方の足場板２をそれぞれ固定するようにしてもよい。
【符号の説明】
【００５２】
１，５０  足場板用連結具
２  足場板
３  接続用筒体
４  ピン部材
２５  孔部
３０，５３  挿入口
３１，５１  側面形成部材
３２，５２  上側網状部（エキスバンドメタル，網状部）
３２ｂ  開口部
３４  下側網状部（エキスバンドメタル）
３４ｂ  開口部
３６  側壁部
３７  上側延出部
３８  下側延出部
３９ａ  下面切欠部
３９ｂ  上面切欠部
４１  差込部
４２  落下防止部
【先行技術文献】
【特許文献】
【００５３】
【特許文献１】実開平０６−８５８５４号公報
【図１】
2011169012.tif 000003
【図２】
2011169012.tif 000004
【図３】
2011169012.tif 000005
【図４】
2011169012.tif 000006